(57)【要約】【課題】床スラブ上にタイルを張り付け施工したタイル施工構造であって、遮音性に優れると共に、タイルの割れや亀裂発生が防止されたタイル施工構造を提供する。【解決手段】コンクリート製の床スラブ１上にタイルユニット２が敷設されている。このタイルユニット２は、底部に配置された緩衝材層３と、該緩衝材層３の上側に配置された下地材４と、該下地材４の上に接着剤層５を介して接着された複数のタイル６と、タイル６間の目地に充填された目地材７とを有する。下地材４の下面には、一定間隔をおいて多数の溝４ａが平行に設けられている。【選択図】図１
2007009554.tif 000002
【特許請求の範囲】
【請求項１】
床スラブ上に緩衝材層が設けられ、該緩衝材層上にタイル張付用下地材が設けられ、該下地材上にタイルが接着剤で張り付けられたタイル施工構造であって、
該下地材の下面に複数の溝が設けられていることを特徴とするタイル施工構造。
【請求項２】
請求項１において、前記接着剤は、高剛性接着剤であることを特徴とするタイル施工構造。
【請求項３】
請求項１又は２において、前記下地材の上に複数のタイルが張り付けられており、
タイル間の目地の下方に前記溝が配置されていることを特徴とするタイル施工構造。
【発明の詳細な説明】
【技術分野】
【０００１】
本発明は、床スラブ上にタイルを施工したタイル施工構造に関するものである。
【背景技術】
【０００２】
床スラブ上にタイルを直に張り付け施工すると階上の歩行音などが階下に伝播して階下の居住性が損なわれる。
【０００３】
特開昭５８−６９９５９号には、床スラブ上に、発泡ポリエチレン等の遮音材が設けられ、その上にタイルが施工された構造が記載されている。
【特許文献１】特開昭５８−６９９５９号公報
【発明の開示】
【発明が解決しようとする課題】
【０００４】
上記特開昭５８−６９９５９号公報のように床スラブ上に敷設された発泡ポリエチレン等の上にタイルを張り付け施工した場合、タイルに対し上方から荷重が負荷されたときにタイルに発生する曲げ応力が大きなものとなり、タイルに割れや亀裂が生じ易くなる。
【０００５】
本発明は、床スラブ上にタイルを張り付け施工したタイル施工構造であって、遮音性に優れると共に、タイルの割れや亀裂発生が防止されたタイル施工構造を提供することを目的とする。
【課題を解決するための手段】
【０００６】
本発明（請求項１）のタイル施工構造は、床スラブ上に緩衝材層が設けられ、該緩衝材層上にタイル張付用下地材が設けられ、該下地材上にタイルが接着剤で張り付けられたタイル施工構造であって、該下地材の下面に複数の溝が設けられていることを特徴とするものである。
【０００７】
請求項２のタイル施工構造は、請求項１において、前記接着剤は、高剛性接着剤であることを特徴とするものである。
【０００８】
請求項３のタイル施工構造は、請求項１又は２において、前記下地材の上に複数のタイルが張り付けられており、タイル間の目地の下方に前記溝が配置されていることを特徴とするものである。
【発明の効果】
【０００９】
本発明のタイル施工構造にあっては、床スラブ上に緩衝材層が設けられているので、階上から階下に伝播する騒音や振動が小さくなる。
【００１０】
本発明では、この緩衝材層の上にタイル張付用下地材を配置し、その上にタイルを張り付け施工しているので、タイルに対し上方から荷重が加えられたときにタイルに生じる曲げ応力が小さくなり、タイルの割れや亀裂が防止される。
【００１１】
本発明では、このタイル張付用下地材の下面に溝を設けており、この溝内のスペースが吸音ないし防振作用を奏することにより、階下へ伝播する騒音や振動が極めて小さなものとなる。
【００１２】
上記のタイル張り付け用の接着剤として、エポキシ系接着剤など、硬化後の剛性が高い高剛性接着剤を用いた場合には、タイルに対し上方から荷重が加えられたときのタイルの曲げ変形がタイル張付用下地材によっても対抗されるようになり、タイルに生じる曲げ応力がさらに小さくなり、タイルの割れや亀裂が十分に防止される。
【００１３】
また、タイル同士の間の目地の下方にタイル張付用下地材裏面の溝を配置した場合、上方からの荷重によってタイル張付用下地材が曲げ変形する場合、この曲げ変形が目地付近に集中するようになり、タイルに生じる曲げ応力がさらに小さなものとなり、タイルの割れや亀裂がより十分に防止される。
【発明を実施するための最良の形態】
【００１４】
以下、図面を参照して実施の形態について説明する。図１は実施の形態に係るタイル施工構造を示す縦断面図、図２は図１のタイル施工構造に用いられているタイル張付用下地材の下側（底面側）から見た斜視図である。
【００１５】
集合住宅等におけるコンクリート製の床スラブ１上にタイルユニット２が敷設されている。このタイルユニット２は、底部に配置された緩衝材層３と、該緩衝材層３の上側に配置されたタイル張付用下地材４と、該下地材４の上に接着剤５を介して接着された複数のタイル６と、タイル６間の目地に充填された目地材７とを有する。下地材４の下面には、一定間隔をおいて多数の溝４ａが平行に設けられている。
【００１６】
緩衝材層３を構成する材料としては、ポリオレフィン発泡体、不織布吸音材、アスファルト系吸音材などが例示される。この緩衝材層の厚さは１〜１５ｍｍ特に２〜６ｍｍとりわけ３〜５ｍｍ程度が好適である。
【００１７】
下地材４の厚さは５〜２０ｍｍ特に９〜１５ｍｍ程度が好適である。下地材４を構成する材料としては合板、硬質樹脂板、硬質発泡体など各種のものを用いることができる。
【００１８】
この下地材４と緩衝材層３とは同一大きさとされるのが好ましい。
【００１９】
下地材４の底面の溝４ａは、幅が０．５〜３．０ｍｍ特に１．０〜２．０ｍｍであり、深さが下地材４の厚みの３０〜８０％特に５０〜７５％程度であることが好ましい。溝４ａのピッチは１０〜３０ｍｍ特に１５〜２０ｍｍ程度であることが好ましい。
【００２０】
この実施の形態では、下地材４は長方形状であり、各溝４ａは下地材４の短手幅方向と平行方向に延設されている。
【００２１】
接着剤５としては、エポキシ系接着剤、変成シリコン又はウレタン系接着剤など、硬化後の剛性（ヤング率）が高いものが好適である。接着剤５の層厚さは０．３〜３．０ｍｍ特に０．５〜１．５ｍｍ程度が好適である。
【００２２】
タイル６は、この実施の形態では陶磁器質であるが、石材や、人工大理石等の人造石よりなるものであってもよい。タイル６は、一辺が１５０〜６００ｍｍであり、厚さが８．０〜１５ｍｍ程度の方形のものが好適である。
【００２３】
タイル６間の目地幅は２．０〜１０．０ｍｍ特に３．０〜５．０ｍｍ程度が好適である。
【００２４】
目地材７は、シリコン系、アクリル系などの弾性目地材が好適である。タイルユニット２としては、緩衝材層３と下地材４とが接着剤や粘着剤によって結合されて一体化されているものが、施工し易く、好適であるが、緩衝材層３と下地材４とが別体であってもよい。後者のように別体である場合、緩衝材層３は下地材４より大きくてもよい。
【００２５】
このタイルユニット２は、複数個、各々の下地材４の側端面を突き合わせるようにして床スラブ１上に敷設される。その後、各タイルユニット２のタイル６同士の間の隙間に目地材を充填する。
【００２６】
なお、緩衝材層３と床スラブ１とは接着剤や粘着剤で付着されてもよい。
【００２７】
この実施の形態では、タイル６の配列ピッチが溝４ａのピッチの整数倍となっており、タイル６間の各目地の下方にそれぞれ溝４ａが存在している。
【００２８】
このように構成されたタイル施工構造にあっては、床スラブ１上に緩衝材層３が設けられているので、階下へ伝播する騒音や振動が小さい。特に、この実施の形態では、下地材４の底面に溝４ａを設けており、この溝４ａ間のスペースが吸音や防振作用を奏するようになり、階下へ伝播する騒音や振動が極めて小さなものとなる。
【００２９】
なお、下地材の下面の溝は格子状に設けられていてもよい。
【００３０】
この実施の形態では、比較的柔らかい緩衝材層３の上に、それよりも剛性の高い下地材４を配置し、この下地材４にタイル６を接着しているため、上からタイル６に載ったりして荷重が加えられたときでもタイル６の曲げ変形が小さく、タイル６の割れや亀裂が防止される。特に、この実施の形態では、接着剤５として硬化後の剛性（ヤング率）が高いものを用いているため、タイル６に上方から荷重が加えられたときのタイル６の曲げ変形が下地材４によっても拘束される。このため、タイル６の曲げ変形量が小さくなり、タイル６の割れや亀裂が十分に防止される。
【００３１】
また、この実施の形態では、目地の下方に溝４ａが存在するため、タイルユニット２が上方からの荷重によって反るように変形しようとする場合、タイルユニット２の変形は目地部分に集中するようになり、タイル６の変形は小さいものとなる。これによっても、タイル６の割れや亀裂が防止される。
【図面の簡単な説明】
【００３２】
【図１】実施の形態に係るタイル施工構造を示す縦断面図である。
【図２】図１のタイル施工構造に用いられている合板の下側（底面側）から見た斜視図である。
【符号の説明】
【００３３】
１  床スラブ
２  タイルユニット
３  緩衝材層
４  タイル張付用下地材
５  接着剤
６  タイル
７  目地材
【図１】
2007009554.tif 000003
【図２】
2007009554.tif 000004